(57)【要約】【課題】マイナスイオンを発生し得ると共に、その他各種類優れた特性を有するマイナスイオン活性水を開発すること【解決手段】耐性溶剤、第１アルカリ溶剤及び第２アルカリ性溶剤をこの順序で同一種内に投入して処理すること【選択図】なし【特許請求の範囲】
【請求項１】
同一処理漕内に、一定量の水と、その水量に対する一定割合の酸性溶液と、第１アルカリ性溶液と、別の第２アルカリ性溶液をそれぞれ一定量順次、連続投入し、常温又は低温域で処理することを特徴とするマイナスイオン活性水の製法。
【請求項２】
上記酸性溶液が過酸化水素水であり、第１アルカリ性溶液が次亜鉛酸塩の溶液であり、且つ別の第２アルカリ性溶液がポリリン酸塩の溶液である請求項１に記載の製法。
【請求項３】
請求項１〜２のいずれかの製法で得られた種々の優れた機能を有するマイナスイオン活性水
【請求項４】
ポリリン酸系化合物を含有する請求項３に記載のマイナスイオン活性水
【請求項５】
消臭機能を有する請求項４に記載のポリリン酸含有マイナスイオン活性水
【請求項６】
組織細胞の自己再生促進機能を有する請求項４に記載のポリリン酸含有マイナスイオン活性水
【請求項７】
生体内のイオンバランス調整機能を有する請求項４に記載のポリリン酸含有マイナスイオン活性水
【発明の詳細な説明】
【０００１】
【発明の属する分野】
本発明は、雨水、井戸水、地下水、鉱泉水（温泉水）、工業用水、水道水や、浄水器処理水など、各種の飲用できる水を、本発明製法により、ヒトに優しく、優れた機能の有益、無害な水に改変すると共に、ゴルフ場、農場、工場、家庭などの汚染源から排出する様々な汚水を、環境に優しく有益、無害な水に中和、分解する。また、本発明水により各種天然繊維（ウール、綿、シルクなど）を浸漬、アルカリイオン化処理をして、種々の新しい機能を有する天然繊維に改変するか、又は濃度の高い本発明水（原液）を適宜な飲料水（原水）に希釈するか、飲用できる溶液（剤）と混合して、種々の分野に優れた水を提供する。
【０００２】
【従来の技術】
水は生命の源である。しかし、大気汚染や環境汚染による水質悪化は、自然の自浄作用の枠組みを超え、ますます深刻化している。また、私達の飲料水は、河川湖沼やダムから採集した水がろ過、塩素滅菌され、弱酸性の水道水として供給されているが、近年その顕著な水質汚濁の影響で、国産、外国産の各種ミネラルウオーターや清涼飲料水が多く飲まれる状況である。
【０００３】
中でも、水の研究が進むにつれ、水は単なる単純な物質でなく、その構造等によって物性も違ってくると考えられ、特に、活性水と呼ばれる水は、通常の水と比べ、種々の点で高い機能を有している。
【０００４】
したがって、この活性水が現在強く要望されており、加えて我が国に於いて現在使用されている各種水については、健康や美容上は勿論のこと、飲料水としてもなお不充分なものとなっており、その改善が強く要望されている。
また一方マイナスイオンが、健康上極めて優れていることが判明し、マイナスイオンを発生しうる水即ち上記の活性水と呼ばれる水があれば極めて、望ましいことである。
【０００５】
【発明が解決しようとする課題】
天然（ナチュラル）ミネラルウオ―ターは、ミネラル成分（カルシウム、ナトリウム、マグネシウム、カリウムなどの陽イオン）を適度に多く（飲用に適する範囲内で）溶け込んだ腐り難い水で、また、陽イオンだけでなく、それに釣り合う炭酸水素イオン、硫酸イオン、塩化物イオンなど、各種の陰イオンを含有しているが、更に別の有効な成分を多く含む水を提供することを本発明の課題とする。また、普通の地下水（井戸水を含む）や水道水は細菌が多く、カビが発生しやすく、塩素滅菌に依存するが、カルキ（塩素）臭く、健康によくない水である為、塩素系水道水や、強烈な臭いの固体や液体を、速攻的、化学的に中和、分解、イオン活性化処理して、機能性の高いイオン活性水を提供することをその課題とする。
【０００６】
【課題を解決するための手段】
本発明は、一定量の水に種酸性溶液、第１及び第２種アルカリ性溶液を常温又は低温域で、一定量順次、連続的に投入することにより解決される。更に詳しくは、本発明マイナスイオン活性水は、一定の水量に対し、多量の酸性の溶液、微量のアルカリ性の塩素系溶液、更に、多量のアルカリ性溶液を常温又は低温域で、同一処理漕内に連続投入し常温又は低温域で処理して得られる。
【０００７】
【発明の作用】
本発明のマイナスイオン水は次の様にして製造される。
先ず好ましくは大量の酸性溶剤たとえば酸化剤溶液、次に微量の第１アルカリ性溶剤たとえば塩素系腐食剤、続いて大量の第２アルカリ性溶剤たとえばピロリン酸塩を順次、適宜な間隔で投入する。この際、各溶剤は常温か安全な低温域とする。本処理中、酸性系の溶剤と塩素系の溶剤の混合溶液を同一浴で、適度な低温度内に加熱、浸漬処理することにより、イオン化処理が行われることとなる。
【０００８】
上記の通り本発明では常温又は低温で、適宜な間隔を設け、各溶剤を順次、連続投入する。先ず（Ａ）酸性溶液を投入する。この際の酸性溶液としては、代表的には酸化物質、更に具体的には過酸化水素の水溶液を好ましいものとして例示出来、その濃度は通常３５％過酸化水素水が好ましく使用される。この際、他の酸性溶剤も使用出来、必要に応じ２種以上併用しても良い。また場合によっては酸性溶剤の一部を最後に分割して使用することも出来る。酸性溶剤は大量に使用するのを基本とする。通常は０．００１〜１．００特に好ましくは００５〜０．００５ｏ．ｗ．ｆ．程度である。
【０００９】
続いて（Ｂ）第１アルカリ性溶剤を適宜な間隔、通常１〜５分間隔を設けて投入する。この際の第１アルカリ性溶剤としては代表的には、塩素系腐食物質が挙げられ、特に好ましくは次亜塩素酸塩が例示できる。この際の次亜塩素酸塩としてはそのアルカリ金属塩が好ましいものとして例示出来、特にナトリウム塩が好ましい。通常０．００１〜１．００特に好ましくは００５〜０．００５ｏ．ｗ．ｆ．程度である。
【００１０】
本発明における（Ｃ）第２アルカリ性溶剤の処理は０．０１〜０．０００１ｏ．ｗ．ｆ．好ましくは０．０２５〜０．０００５ｏ．ｗ．ｆ．を投入する。この際の第２アルカリ性溶剤としては、代表的にはピロリン酸塩、特に好ましくはそのナトリウム塩が使用される。該溶剤は主に食品添加物に使われるもので、大量に使っても差し支えない。
本発明の処理に於ける温度は、２５℃〜７０℃の間の安全な低温域で行われる。
【００１１】
【発明の実施の形態】
本発明イオン水は適宜、使途に応じ、各種の飲用水や処理水に混合するか、希釈することにより、優れた機能を発揮するイオン水を提供する。本発明イオン水は、血液と同程度のＰＨ７〜８．５の安定した弱アルカリ性を呈し、その水中には、表１のような、多量のプラスイオン物質、マイナスイオン物質、ポリリン酸系化合物、及び有機化合物を含有しており、安全に、安価に、かつ大量に生成し得るものである。
【００１２】
【表１】
2004024938.tif 000002
【００１３】
更に、本発明イオン水（原液）は、各種の水（原水）又は溶液、溶剤、処理水と混合するか、希釈すると、直ちに、ヒト、動植物や、各分野に有用な水として貢献し得る。また、本発明イオン水に含まれるポリリン酸は、生体内において、エネルギー代謝に関与し、生化学的に組織細胞を再生する重要な物質である。また一方、水圏中のリン酸濃度の高まりは、生態系に強い影響を与えるので、リンは監視項目でもあり、注意して取り扱うことが重要である。
【００１４】
また、本発明製法による各種の溶液（原材料）、又は本発明イオン水（原液）を、工場廃水や家庭汚水、またはプール用水の水や大衆浴場、温泉場で使用済みのお湯に投入、混合して、速攻的に有益無害なイオン水に改変する利点がある。
【００１５】
更に、本発明イオン水は、生体内の活性酸素を消去するスカベンジャー物質を含有すると推測され、更に、本製法によるπウオ―ター的イオン水が、動植物の成長や、その生体内外の細胞組織の再生や、血液、体液内のイオンバランスの調整などを促す働きがあると推測され、具体的には、家畜（その他の動物）や植物の飼料肥料に混合する調合水（アルカリ性土壌改良剤を含む）があり、また、各種臭気性物質の消臭剤、或は、各種細菌繁殖性物質の抑制、抗菌剤がある。
【００１６】
また、動植物の鮮度保存液や、生体内細胞組織の自己再生促進剤として、火傷治療液、歯周病殺菌、治療用うがい薬など、多くの活用分野がある。
【００１７】
更には、医薬的には、今後、癌治療薬を最終目標に、多くの成人病治療薬にいたる、胃腸薬（制酸剤）、整腸薬、便秘薬、頭痛薬、血圧降下剤、血糖値正常化剤、美肌のためのシミ取り皮膚活性液、保湿液、入浴剤など、以下に示す如く多くの分野、多くの機能、効果を実証し得る画期的な発明イオン水である。
【００１８】
（１）消臭効果　臭気性物質を中和、分解して、無臭化する。
【００１９】
（２）保湿、美肌効果　皮膚細胞の再生、促進化により油脂分を回復し、一方、古い角質層（メラニン色素）を中和分解し、皮膚細胞の再生を促進する。
【００２０】
（３）制酸効果　胃酸過多や、胃もたれ（腹部愁訴）を改善、食欲を増進する
【００２１】
（４）火傷治癒効果　適濃度、適量の本イオン水に漬けたり、塗ったり、更に、飲んだりして、火傷、ただれによる皮膚、細胞の障害、破壊、化膿などを抑制、再生する。
【００２２】
（５）漂白洗浄効果　家庭用及び業務用洗剤として、汚れを除去し、漂白する
【００２３】
（６）酸化防止効果　鉢植えの植物や、切花がイオン効果により、酸化し難くくなり、鮮度が永く保持される効果が認められる。
【００２４】
（７）土壌改良及び肥沃化　酸性化した土壌に本イオン水を浸透すれば、直ちにダイオキシンを分解、更にアルカリ性の土壌に変換し、肥沃化する。
【０００２５】
（８）異常細胞の再生促進効果　体内外のあらゆる損傷、異常細胞（神経系を含む）の再生促進、治癒効果が認められる。
【００２６】
（９）汚水廃水の浄化　本処理製法や、本処理イオン水を含む、各イオン物質や、ポリリン酸物質が各種汚染、有害物質を中和、分解、イオン化して、有益、無害な優しい水に浄化、改変する。
【００２７】
（１０）抗菌、制菌効果　本イオン水（適性濃度）は生体内外の菌ウイルスの増殖を抑制、死滅化させ、細胞組織を再生、治癒する。歯周病治療に効果的。
【００２８】
（１１）入浴剤　これを適量お風呂に入れると、身体の芯まで温まり、血行を
良くし、皮膚細胞を再生促進する
【００２９】
（１２）血管内老廃物の浄化、除去効果　血液及び血管内の悪玉コレステロールを清浄化し、排除する働きがあり、偏頭痛な解消、血圧、血糖値の正常化、脳梗塞、心筋梗塞の緩和など、各種傷みが解消する。
【００３０】
【実施例】
以下、本発明を実施例に基づき説明する。
【実施例１】一浴一段法で、同一処理漕内に定量（２０００ｃｃ）の水道水を入れ、該水量に対し、各々、一定の割合で、酸性溶液たる酸化剤としての、３５ｗｔ％過酸化水素水（ｐＨ４〜５の弱酸性）を０．０５〜０．００５ｏ．ｗ．ｆ．投入、撹拌する（第１反応）。次に、アルカリ性の塩素系腐食剤である次亜塩素酸ナトリウム溶液（ｐＨ１０以上の強アルカリ性）を０．００７５〜０．０００７５ｏ．ｗ．ｆ．投入、撹拌する（第２反応）。その第２反応直後から、水中に猛烈な気泡化現象が起こり、塩素ガスが活発に発生し始めるが、この際、素早く次のアルカリ性溶剤のピロリン酸ナトリウム水溶液（ｐＨ１０以上の強アルカリ性）を０．０２５〜０．０００５ｏ．ｗ．ｆ．投入、撹拌して（第３反応）、この塩素ガスを安全、確実に中和し、抑制処理する。またこの後必要に応じ、前記とは別の酸性溶剤（ｐＨ５〜６の弱酸性）を一定量投入、撹拌することがある。最後に、これら各溶剤を同一処理漕内で一定時間、浸漬、反応処理し、弱アルカリ化され、強力にイオン化、気泡化されたポリリン酸含有のマイナスイオン活性水を生成する。
【００３１】
かくして得られたマイナスイオン活性水の成分及び物性は前記表１に示した。またその他同じく、その水質特性を表２及び表３に示した。但し表２は水道水を原水として、実施例１の処理により得たイオン水であり、表３は更に１０００倍に希釈したものである。
【００３２】
【表２】
2004024938.tif 000003
【００３３】
【表３】
2004024938.tif 000004
【００３４】
また上記実施例１で得た本発明活性水の食品衛生法に基づく、検査結果を表４、表５に示す。但し表５は表４のつづきである。尚表４及び表５は食品衛生法、厚生省告示の、食品、添加物等の規格基準（Ｓ３４．厚告第３７０号［飲用適の水］規定）の第１食品Ｄ各条○清涼飲料水の製造基準（Ｈ５．厚告第２４５号による改正）に関する検査を行ったものである。
【００３５】
【表４】
2004024938.tif 000005
【００３６】
【表５】
2004024938.tif 000006
【００３７】
表４及び表５はまた食品、添加物等の規格基準（昭和３４年厚生省告示第３７０号）の第１食品Ｄ各条○清涼飲料水の２清涼飲料水の製造基準の（１）ミネラルウオ―ター類、冷凍果実飲料及び原料用果汁以外の清涼飲料水の２．の表の基準によったものである。
【００３８】
本発明水について、食品衛生法、厚生省告示第３７０号に規定する［飲用適の水］に適合する水であるかどうかに関し、（財）日本食品分析センターにおいて、検査、分析した結果を上記で示している。即ち「食品、添加物等の規格基準（Ｓ３４、厚告第３７０号）の第１食品Ｄ各条○清涼飲料水の製造基準（Ｈ５厚告第２４５号による改正）により、水道法（昭和３２年法律第１７７号）第３条第２項に規定する水道事業の用に供する水道、同条第６項に規定する専用水道若しくは同条第７項に規定する簡易専用水道により供給される水又は次の表の第１欄に掲げる事項につき同表の第３欄に掲げる方法によって行なう検査において、同表の第２欄に掲げる基準に適合する水をいう」に基づくものである。
【００３９】
また表６に表１と同じ趣旨で、分析した結果を示す。この表６は上記リンの定量は１２００ｍｇ／ｌであり、ポリリン酸系化合物（陰イオン）の形態として、約３倍の分子量（３、３００ｍｇ／ｌ）で存在する。更に、表１の陽イオン（合計１２１６．８ｍｇ／ｌ）を考慮すれば、蒸発残留物：６３７７ｍｇ／ｌと、おおむね整合することになる。
例　＜ポリリン酸；Ｈ６Ｐ４Ｏ１３　の定量計算　＞
水素Ｈ分子量＝１　〜　　１ｘ６＝　　６
リンＰ分子量＝３１〜　３１ｘ４＝１２４
酸素Ｏ分子量＝１６〜　１６ｘ１３＝２０８　　合計３３８
１２４：３３８＝１２００：ｘ　　　　　ｘ＝３２７０ｍｇ／ｌ
【００４０】
【表６】
2004024938.tif 000007
【００４１】
但し上記表６に於いては、水道水を用いて得た本発明実施例１の生成水について、表１の処理水と全く同じ品質（濃度）の試料（原液）で行った。上記はこの検体について分析試験した結果である。
【００４２】
日本食品分析センターに依る上記実施例１に水に対する水質検査結果を表７として示す。
【００４３】
【表７】
2004024938.tif 000008
【００４４】
但し食品、添加物等の規格基準（昭和３４年厚生省告示第３７０号）の第１食品Ｄ各条○清涼飲料水の２清涼飲料水の製造基準の（１）ミネラルウォーター類、冷凍果実飲料及び原料用果汁以外の清涼飲料水の２の表の基準によった。
【００４５】
【実施例２】本発明の使用溶剤について、定量の水に対し、３５ｗｔ％過酸化水素水を大量に（０．００１ｏ．ｗ．ｆ．）投入、撹拌する（第１反応）。次に、該水量に対し、次亜塩素酸ナトリウム水溶液を微量（０．００１５ｏ．ｗ．ｆ．）投入し、撹拌する（第２反応）。続いて、該水量に対し、ピロリン酸ナトリウム水溶液を大量に（０．００５ｏ．ｗ．ｆ．）投入、撹拌する（第３反応）。また、必要に応じ、他の酸性溶剤を微量投入、撹拌（第４反応）、浸漬して、気泡化が活発な、イオン化したポリリン酸含有のマイナスイオン活性水を生成する。
【００４６】
【実施例３】本発明の処理溶液の投入に関し、２番目の次亜塩素酸ナトリウム水溶液の投入（第２反応）直後、連続的に、３番目のピロリン酸ナトリウム水溶液を投入、処理する。これは１番目の酸性系溶剤の中に（第１反応）、２番目の塩素系溶剤を混入すると、気泡化が始まり、直ちに塩素ガスが多量に発生する為（第２反応）、危険であるので、素早く、次のピロリン酸ナトリウム水溶液を投入して、中和、分解する。１番目の３５ｗｔ％過酸化水素水（酸性系）投入後に、２番目の次亜塩素酸ナトリウム水溶液（塩素系）を混入した後と、または、必要に応じ、他の酸性溶剤を混入し、激しく塩素ガスが発生する際も、併せて、３番目のピロリン酸ナトリウム水溶液が中和、分解するので、完全に塩素ガスの発生が抑止され、全く安全で、且つ又、ヒト、環境に優しい、気泡化、活性化、
イオン化された多機能イオン水を生成する。
【００４７】
【実施例４】前記１〜３の実施例は、全て同一処理漕内で、常温又は低温域で、短時間、速攻的に連続投入し、浸漬処理する製造法である。また、本発明イオン水は、食品衛生法に基づく［ミネラルウオ―ター類の原水検査（１８項目）］や、［食品製造用原水［飲用適の水］の検査（２６項目）］を通過した水であり、更に、本発明で使用される各種溶液は全て、食品衛生法で食品添加物として認められた成分、物質であるので、本発明水は、生体（動植物）には安全で、かつ、安心な水である。但し、ヒトの飲料水としては、更に精確な検査、分析を行ない、入念な学術的、臨床的研究により早期の実証、実用化が望まれる。
【００４８】
【発明の効果】本発明製法で生成されるイオン活性水（原液）の分析結果は、表１の水質試験成績書通りであり、その水中に含まれる多量のナトリウムイオンは、体液内の主な陽（＋）イオンとして、総陽（＋）イオンの９０％を占め、全細胞の周囲を循環するイオン成分と同じであるが、特に、（イ）細胞浸透圧の調整、体液ｐＨ調節、（ロ）栄養素の吸収（小腸でブドウ糖や、アミノ酸の吸収）を補助、（ハ）酸・塩基の平衡、（ニ）神経細胞を通して刺激の伝達を行なう等、重要な物質である。
【００４９】
同じく、本イオン水中に多量に含有する塩素イオンは、陰（−）イオンとして、（ホ）胃酸の主成分としてタンパク質、でん粉の分解消化を補助、殺菌するなど、生命維持に不可欠な働きを行なう、重要な物質である。更に、生体内の各細胞は、細胞外液というＮａＣｌを主成分とする液中に浮かんでおり、細胞が縮み過ぎたり、膨らみ過ぎて、壊れないよう、細胞外液のナトリウム量が変化して、細胞の壁を隔てて、細胞内液と濃度的に一定のバランスを取り合う構成、仕組みであり、胎内の羊水に似ている。
【００５０】
人体は少しアルカリ性（ｐＨ７．４前後）に傾いているが、体内では、代謝によって多くの酸性物質が生成されるが、ナトリウムイオンの緩衝作用〈変化を和らげる〉のお蔭で、体液は酸性にならないで、弱アルカリ性に調整される。つまり、酸化物質から酸素を取り除く、還元しやすい系統の水（マイナスのＯＲＰ酸化還元電位）であると言える。また、血液中のＮａが不足すると、ｐＨが低下し、食欲減退、倦怠感、精神不安定、睡気などの症状を呈する。
【００５１】
更に、カルシウムが骨をつくるには、カルシウム対リンの比が、１対１である時が一番効率がよく、逆に、リンを多く取り過ぎると、多過ぎるリンはカルシウムと一緒に対外へ排出されるので、そのバランスが特に重要であるが、本発明イオン水は、その点でも、バランス調整が絶妙な水であると言える。具体的には、前記の、火傷した患部、皮膚細胞周辺の細胞膜の保護、再生促進化や、生体内の損傷、破壊〈癌化〉した細胞の再生促進、正常化や、血液、体液のイオンバランスの調整や、血管内の悪玉コレステロールの除去、脳梗塞、心筋梗塞などの予防や、血糖値の正常化、便秘やアレルギー症、アトピー性皮膚炎の解消など、多くの難病の治療に貢献し得ると考えられる。
【００５２】
また、ヒトを含めた生体内のリンは、その約８０％が硬組織の骨や歯〜リン成分の貯蔵場所として存在するが、残り２０％は、軟組織や血液中に、無機リン酸イオン或いはリン酸エステル（生物のエネルギー代謝に必須の成分であるＡＴＰ、ＡＤＰ、ＡＭＰや、遺伝子のＤＮＡそのもの）として存在する。つまり、遺伝子ＤＮＡの構造は、…糖−リン酸基−糖−リン酸基…という鎖状らせん体が二本平行に並び、二本の鎖は４種の塩基で繋がっているが、リン酸は、負（−）電荷をもつ水溶性物質で、細胞に対し、その組織の自己再生促進効果を有し、抗菌、消臭性効果のある物質である。
【００５３】
リンは、多機能元素で、機能の宝庫と言われ、生体内において、個体の生命と種の遺伝の双方を司る重大な役目がある。また、リン化合物は、無機物に属するが、無機―有機の中間の性質があり、多方面に融通の効く物質である。リン酸は抗菌（殺菌）効果と共に、難燃効果がある。つまり、本発明製法は、各種の溶液が順次連続投入され、次々と連鎖反応しながら、最終段階で、革命的な反応を惹起し、飛躍的、高次元の変化（水クラスター化）を達成し、水中の諸物質が高密度に活性イオン化され、一次元鎖状から高次元鎖状のポリリン酸を生成することを特徴とする画期的な水の活性化処理法の発明であり、その発明水である。